(57)【特許請求の範囲】
【請求項１】
回覧用画像データを受信して、所定の次の回覧先に転送する回覧機能を有する通信端末装置において、受信した回覧用画像データを記憶装置に格納し、上記受信した回覧用画像データとともに受信した回覧依頼機の番号が自機の番号と一致しないとき次の回覧先に回覧用画像データを転送する一方、一致するとき回覧用画像データを転送することなく回覧の終了と判断し、上記受信した回覧用画像データの画像に回覧終了メッセージを付けてプリントした後、上記記憶装置に格納した回覧用画像データを消去するように制御する制御手段を備えたことを特徴とする通信端末装置。
【請求項２】
上記回覧依頼機の番号は、当該回覧依頼機である発信端末の電話番号であり、所定の第１の通信手順信号で送出されることを特徴とする請求項１記載の通信端末装置。
【請求項３】
上記次の回覧先は、回覧すべきグループを示す、回覧先テーブルメモリのメモリボックス番号で指定され、上記メモリボックス番号は所定の第２の通信手順信号で送出されることを特徴とする請求項１又は２記載の通信端末装置。
【請求項４】
上記次の回覧先は、回覧すべきグループを示す、回覧先テーブルメモリのメモリボックス番号で指定され、上記メモリボックス番号は上記第１の通信手順信号で送出される回覧依頼機の番号である請求項１又は２記載の通信端末装置。
【発明の詳細な説明】
【０００１】
【発明の属する技術分野】
本発明は、回覧用画像データを受信して所定の次の回覧先に転送する回覧機能を備えたファクシミリ装置などの通信端末装置に関する。
【０００２】
【従来の技術】
従来、回覧機能を備えたファクシミリ装置では、回覧すべき電話番号のリストのデータを、専用の独自の通信手順で次のファクシミリ装置に転送し、もしくは、回覧すべき電話番号のリストを画像データに挿入して送信するなど特別な通信手順で転送することにより、回覧すべき画像データを順次次のファクシミリ装置に転送して回覧していた。
【０００３】
【発明が解決しようとする課題】
しかしながら、回覧の終了の判断は、回覧の最終端末機であるファクシミリ装置の回覧先テーブルに、回覧先を登録しないなどの方法を用いて設定していたので、回覧の最終端末機が固定されるという問題点があった。
【０００４】
本発明の目的は以上の問題点を解決し、回覧の最終端末機が固定されない回覧機能を有する通信端末装置を提供することにある。
【０００５】
【課題を解決するための手段】
本発明に係る通信端末装置は、回覧用画像データを受信して、所定の次の回覧先に転送する回覧機能を有する通信端末装置において、受信した回覧用画像データを記憶装置に格納し、上記受信した回覧用画像データとともに受信した回覧依頼機の番号が自機の番号と一致しないとき次の回覧先に回覧用画像データを転送する一方、一致するとき回覧用画像データを転送することなく回覧の終了と判断し、上記受信した回覧用画像データの画像に回覧終了メッセージを付けてプリントした後、上記記憶装置に格納した回覧用画像データを消去するように制御する制御手段を備えたことを特徴とする。
【０００６】
また、上記通信端末装置において、好ましくは、上記回覧依頼機の番号は、当該回覧依頼機である発信端末の電話番号であり、所定の第１の通信手順信号で送出される。
【０００７】
さらに、上記次の回覧先は、好ましくは、回覧すべきグループを示す、回覧先テーブルメモリのメモリボックス番号で指定され、上記メモリボックス番号は所定の第２の通信手順信号で送出され、もしくは、上記第１の通信手順信号で送出される回覧依頼機の番号である。
【０００８】
【発明の実施の形態】
以下、図面を参照して本発明に係る実施形態について説明する。
【０００９】
＜第１の実施形態＞
図１は、本発明に係る実施形態である、回覧機能を有するファクシミリ装置２０の構成を示すブロック図である。本実施形態の回覧機能を有するファクシミリ装置２０を用いて回覧用画像データを回覧するときは、回覧依頼機から回覧開始を行い、回覧機で順次回覧すべき画像データを中継送信して所定の回覧宛先に回覧用画像データを送信する。
【００１０】
この実施形態のファクシミリ装置２０は、回覧依頼機又は回覧機として動作可能な装置であって、画像データを回覧すべき複数のファクシミリ装置２０には、図２に示すように、メモリボックス番号に対応して次の回覧宛先の電話番号を予め記憶する回覧先電話番号テーブル７ａをＲＡＭ７内に有している。そして、回覧機の主制御部１は、受信した回覧用画像データとともに受信した、ファクシミリ通信の通信手順信号であるＳＩＤ（送信者識別）信号内の回覧依頼機の番号が自機の番号と一致しないとき（図６のステップＳ４１でＮＯ）次の回覧先に画像データを転送する（ステップＳ５７）一方、一致するとき（ステップＳ４１でＹＥＳ）回覧用画像データを転送することなく回覧の終了と判断する（ステップＳ４２）ことを特徴としている。ここで、上記回覧依頼機の番号は、当該回覧依頼機である発信端末の電話番号である。また、次の回覧先は、回覧すべきグループを示す、回覧先テーブルメモリのメモリボックス番号で指定され（図４のステップＳ１）、上記メモリボックス番号は、ファクシミリ通信の通信手順信号であるＳＵＢ（サブアドレス）信号で送出される（ステップＳ４１）。
【００１１】
図１において、ファクシミリ装置２０は、従来のＧ３方式等のファクシミリ通信機能を備えるとともに、回覧機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、相手先のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１２】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１３】
ＲＯＭ６は、当該ファクシミリ装置２０の動作に必要であって主制御部１によって実行される種々のソフトウェアのプログラムを予め格納し、ここで、当該プログラムは、少なくとも図４の送信処理、並びに図５及び図６の受信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。ここで、ＲＡＭ７には、図２に一例を示す回覧先電話番号テーブル７ａを予め格納し、また、図３に一例を示す信号データメモリ７ｂのデータを信号受信時に格納する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１４】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１５】
以上のように構成された本実施形態のファクシミリ装置２０は、通常のＧ３方式等のファクシミリ通信機能に加えて、回覧機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１６】
図２は、図１のＲＡＭ７内の回覧先電話番号テーブル７ａの一例のテーブルを示す図である。この回覧先電話番号テーブル７ａは、回覧依頼機及び回覧機の各ファクシミリ装置２０に備えられ、図２に示すように、メモリボックス番号に対応して次の回覧先の電話番号のデータが予め操作部５を用いて入力されて格納されている。
【００１７】
図３は、図１のＲＡＭ７内の信号データメモリ７ｂの一例のテーブルを示す図である。この信号データメモリ７ｂには、相手先のファクシミリ装置から受信したファクシミリ装置の手順信号であるＳＩＤ信号のデータと、ＳＵＢ（サブアドレス）信号のデータとが信号受信時に格納される。ここで、ＳＩＤ信号には、回覧依頼機の電話番号が格納される。また、ＳＵＢ信号には、次の回覧宛先のメモリボックス番号を示す。このメモリボックス番号は、画像メモリ８を用いて、回覧や親展、掲示板などのメモリボックス処理を実行するときに、画像メモリ８内で画像データを区分して格納する番号に対応している。このメモリボックス番号を指定することにより、回覧すべき複数の宛先を含むグループを指定することができる。本実施形態では、回覧依頼機から少なくとも１つの回覧機を介して回覧されるときに、回覧用画像データとともに、ＳＩＤ信号及びＳＵＢ信号を順次転送し、受信したＳＩＤ信号内の回覧依頼機の電話番号が自機の電話番号に一致するときに（図６のステップＳ４１でＹＥＳ）最終端末機（回覧依頼機である）であると判断する。
【００１８】
図４は、図１のファクシミリ装置２０の回覧依頼機の主制御部１によって実行される送信処理を示すフローチャートである。図４において、まず、ステップＳ１において回覧のグループを示すメモリボックス番号を操作部５を用いて入力し、ステップＳ２において回覧先にダイヤルして発呼する。次いで、ステップＳ３においてＤＩＳ信号を検出し、ステップＳ４においてＳＵＢ信号にメモリボックス番号を格納して送出し、ステップＳ５においてＳＩＤ信号に自機の電話番号を格納して送出する。そして、ステップＳ６においてＤＣＳ信号及びトレーニング信号を送出し、これに応答して、ステップＳ７においてＣＦＲ信号を検出する。さらに、ステップＳ８において回覧用原稿画像を読み取りその画像データを送信し、ステップＳ９においてＥＯＰ信号を送出する。そして、これに応答してステップＳ１０においてＭＣＦ信号を検出し、ステップＳ１１においてＤＣＮ信号を送出し、ステップＳ１２において回線開放して当該送信処理を終了する。
【００１９】
図５及び図６は、図１のファクシミリ装置２０の回覧機又は回覧依頼機の主制御部１によって実行される受信処理を示すフローチャートである。図５において、ステップＳ２１において着呼したか否かを判断され、着呼するまでステップＳ２１の処理を繰り返し、着呼したときに（ステップＳ２１でＹＥＳ）ステップＳ２２においてＤＩＳ信号を送出し、これに応答してステップＳ２３においてＳＵＢ信号を検出して信号データメモリ７ｂに格納し、ステップＳ２４においてＳＩＤ信号を検出して信号データメモリ７ｂに格納し、さらに、ステップＳ２５においてＤＣＳ信号及びトレーニング信号を検出する。これに応答して、ステップＳ２６においてＣＦＲ信号を送出し、ステップＳ２７において画像データを受信し、ＳＵＢ信号で指定された画像メモリ８内のメモリボックスに格納し、そして、ステップＳ２８においてＥＯＰ信号を検出する。そして、ステップＳ２９においてＭＣＦ信号を送出し、ステップＳ３０において回線開放し、ステップＳ３１においてＳＵＢ信号で指定されたメモリボックス番号は回覧のためのメモリボックス番号であるか否かを判断され、ＹＥＳのときは図６のステップＳ４１に進む一方、ＮＯのときはステップＳ３２に進む。ステップＳ３２では、画像メモリ８のメモリボックスを用いる親展や掲示板等のその他の処理を実行して当該受信処理を終了する。
【００２０】
図６のステップＳ４１において受信して信号データメモリ７ｂに格納されたＳＩＤ信号内のデータは自機の電話番号であるか否かを判断され、ＹＥＳのときはステップＳ４２に進む一方、ＮＯのときはステップＳ５１に進む。ステップＳ４２において自機は回覧依頼機と判断し、ステップＳ４３において画像メモリ８に格納された画像データを縮小しかつ回覧終了メッセージを付けて画像記録部３を用いて記録紙にプリントし、ステップＳ４４において当該画像データを画像メモリ８から消去した後、ステップＳ６０でＤＣＮ信号を送出し、ステップＳ６１で回線開放して当該受信処理を終了する。
【００２１】
一方、ステップＳ５１においてＳＵＢ信号で指定されたメモリボックス番号に対応して登録されている回覧先にダイヤルして発呼し、ステップＳ５２においてＤＩＳ信号を検出し、ステップＳ５３において先に受信されて信号データメモリ７ｂに格納されたＳＵＢ信号内のメモリボックス番号をＳＵＢ信号に格納して送出した後、ステップＳ５４において先に受信されて信号データメモリ７ｂに格納されたＳＩＤ信号内のデータをそのままＳＩＤ信号に格納して送出し、さらに、ステップＳ５５においてＤＣＳ信号及びトレーニング信号を送出する。これに応答して、ステップＳ５６においてＣＦＲ信号を検出し、ステップＳ５７において当該メモリボックスの画像データを画像メモリ８から読み出して送出した後、ステップＳ５８においてＥＯＰ信号を送出する。さらに、ステップＳ５９においてＭＣＦ信号を検出し、ステップＳ６０においてＤＣＮ信号を送出し、ステップＳ６１において回線開放して当該受信処理を終了する。
【００２２】
以上説明したようにこの第１の実施形態によれば、回覧機の主制御部１は、受信した回覧用画像データとともに受信した、ファクシミリ通信の通信手順信号であるＳＩＤ（送信者識別）信号内の回覧依頼機の番号が自機の番号と一致しないとき（図６のステップＳ４１でＮＯ）次の回覧先に画像データを転送する（ステップＳ５７）一方、一致するとき（ステップＳ４１でＹＥＳ）回覧用画像データを転送することなく回覧の終了と判断する（ステップＳ４２）ことを特徴としている。ここで、上記回覧依頼機の番号は、当該回覧依頼機である発信端末の電話番号である。また、次の回覧先は、回覧すべきグループを示す、回覧先テーブルメモリのメモリボックス番号で指定され（図４のステップＳ１）、上記メモリボックス番号は、ファクシミリ通信の通信手順信号であるＳＵＢ（サブアドレス）信号で送出される（ステップＳ４）。従って、例えばＳＩＤ信号に回覧依頼機である発信端末の電話番号を指定することにより、回覧の最終端末機が固定されないので、どの回覧端末機からでも回覧を開始でき、柔軟性のある回覧ルートを構築できる。また、例えばファクシミリ通信の通信手順信号であるＳＩＤ信号を用いて、他のメーカー装置との互換性を保持して回覧機能を実施できる。さらに、ＳＵＢ信号にメモリボックス番号を登録することにより、メモリボックス番号に応じて複数の回覧ルートを形成することができる。
【００２３】
＜第２の実施形態＞
本発明に係る第２の実施形態であるファクシミリ装置２０は、回覧依頼機又は回覧機として動作可能な装置であって、画像データを回覧すべき複数のファクシミリ装置２０には、図２に示すように、回覧依頼機の電話番号であるメモリボックス番号に対応して次の回覧宛先の電話番号を予め記憶する回覧先電話番号テーブル７ｃをＲＡＭ７内に有する。そして、回覧機の主制御部１は、受信した回覧用画像データとともに受信した、ファクシミリ通信の通信手順信号であるＳＵＢ（サブアドレス）信号内の回覧依頼機の番号が自機の番号と一致しないとき（図１１のステップＳ１１１でＮＯ）次の回覧先に画像データを転送する（ステップＳ１２６）一方、一致するとき（ステップＳ１１１でＹＥＳ）回覧用画像データを転送することなく回覧の終了と判断する（ステップＳ１１２）ことを特徴としている。ここで、上記回覧依頼機の番号は、当該回覧依頼機である発信端末の電話番号である。また、次の回覧先は、回覧すべきグループを示す、回覧先テーブルメモリのメモリボックス番号で指定され（図９のステップＳ７１）、上記メモリボックス番号は、ＳＵＢ信号で送出される（ステップＳ７４）。この第２の実施形態では、メモリボックス番号は、シリアル番号ではなく、回覧依頼機の番号で記述される。以下、第１の実施形態との相違点について詳述する。
【００２４】
ＲＯＭ６内に格納されるプログラムは、少なくとも図９の送信処理、並びに図１０及び図１１の受信処理のプログラムを含む。ＲＡＭ７には、図７に一例を示す回覧先電話番号テーブル７ｃを予め格納し、また、図８に一例を示す信号データメモリ７ｄのデータを信号受信時に格納する。
【００２５】
図７の回覧先電話番号テーブル７ｃは、回覧依頼機及び回覧機の各ファクシミリ装置２０のＲＡＭ７内に備えられ、図２に示すように、回覧依頼機の電話番号であるメモリボックス番号に対応して次の回覧先の電話番号のデータが予め操作部５を用いて入力されて格納されている。図８の信号データメモリ７ｂには、相手先のファクシミリ装置から受信したファクシミリ装置の手順信号であるＳＵＢ（サブアドレス）信号のデータとが信号受信時に格納される。ここで、ＳＵＢ信号には、回覧依頼機の電話番号が格納される。このメモリボックス番号は、画像メモリ８を用いて、回覧や親展、掲示板などのメモリボックス処理を実行するときに、画像メモリ８内で画像データを区分して格納する番号に対応している。このメモリボックス番号を指定することにより、回覧すべき複数の宛先を含むグループを指定することができる。本実施形態では、回覧依頼機から少なくとも１つの回覧機を介して回覧されるときに、回覧用画像データとともに、ＳＵＢ信号を順次転送し、受信したＳＵＢ信号内の回覧依頼機の電話番号が自機の電話番号に一致するときに（図１１のステップＳ１１１でＹＥＳ）最終端末機（回覧依頼機である）であると判断する。
【００２６】
図９は、第２の実施形態であるファクシミリ装置２０の回覧依頼機の主制御部１によって実行される送信処理を示すフローチャートである。図９において、まず、ステップＳ７１において回覧のグループを示すメモリボックス番号を操作部５を用いて入力し、ステップＳ７２において回覧先にダイヤルして発呼する。これに応答して、ステップＳ７３においてＤＩＳ信号を検出し、ステップＳ７４において自機の電話番号をメモリボックス番号としてＳＵＢ信号に格納して送出した後、ステップＳ７５においてＤＣＳ信号及びトレーニング信号を送出する。そして、ステップＳ７６においてＣＦＲ信号を検出した後、ステップＳ７７において回覧用原稿画像を読み取りその画像データを送信し、ステップＳ７８においてＥＯＰ信号を送出する。そして、ステップＳ７９においてＭＣＦ信号を検出し、ステップＳ８０においてＤＣＮ信号を送出した後、ステップＳ８１において回線開放して当該送信処理を終了する。
【００２７】
図１０及び図１１は、第２の実施形態であるファクシミリ装置２０の回覧機又は回覧依頼機の主制御部１によって実行される受信処理を示すフローチャートである。図１０において、まず、ステップＳ９１において着呼したか否かを判断され、着呼するまでステップＳ９１の処理を繰り返し、着呼したとき（ステップＳ９１でＹＥＳ）ステップＳ９２においてＤＩＳ信号を送出し、ステップＳ９３においてＳＵＢ信号を検出して信号データメモリ７ｄに格納する。そして、ステップＳ９４においてＤＣＳ及びトレーニング信号を検出し、ステップＳ９５においてＣＦＲ信号を送出し、ステップＳ９６において画像データを受信して、ＳＵＢ信号によって指定された画像メモリ８内のメモリボックスに格納した後、ステップＳ９７においてＥＯＰ信号を検出する。さらに、ステップＳ９８においてＭＣＦ信号を送出し、ステップＳ９９において回線開放する。そして、ステップＳ１００においてＳＵＢ信号で指定されたメモリボックス番号は回覧のためのメモリボックス番号であるか否かが判断され、ＹＥＳのときは図１１のステップＳ１１１に進む一方、ＮＯのときはステップＳ１０１に進む。ステップＳ１０１では、親展や掲示板などのその他の処理を実行して当該受信処理を終了する。
【００２８】
図１１のステップＳ１１１において受信したＳＵＢ信号内のデータは自機の電話番号か否かを判断され、ＹＥＳのときはステップＳ１１２に進む一方、ＮＯのときはステップＳ１２１に進む。ステップＳ１１２において自機は回覧依頼機と判断し、ステップＳ１１３において画像メモリ８に格納された画像データを縮小しかつ回覧終了メッセージを付けて画像記録部３を用いて記録紙にプリントする。そして、ステップＳ１１４において当該画像データを画像メモリ８から消去した後、ステップＳ１２９でＤＣＮ信号を送出し、ステップＳ１３０で回線開放して当該受信処理を終了する。
【００２９】
一方、ステップＳ１２１においてＳＵＢ信号のメモリボックス番号に対応して登録されている回覧先にダイヤルして発呼し、ステップＳ１２２においてＤＩＳ信号を検出し、ステップＳ１２３において先に受信されたＳＵＢ信号内のメモリボックス番号をＳＵＢ信号に格納して送出した後、ステップＳ１２４においてＤＣＳ信号及びトレーニング信号を送出する。これに応答して、ステップＳ１２５においてＣＦＲ信号を検出し、ステップＳ１２６において当該メモリボックスの画像データを画像メモリ８から読み出して送出する。さらに、ステップＳ１２７においてＥＯＰ信号を送出し、ステップＳ１２８においてＭＣＦ信号を検出し、ステップＳ１２９においてＤＣＮ信号を送出し、ステップＳ１３０において回線開放して当該受信処理を終了する。
【００３０】
以上説明したように第２の実施形態によれば、回覧機の主制御部１は、受信した回覧用画像データとともに受信した、ファクシミリ通信の通信手順信号であるＳＵＢ（サブアドレス）信号内の回覧依頼機の番号が自機の番号と一致しないとき（図１１のステップＳ１１１でＮＯ）次の回覧先に画像データを転送する（ステップＳ１２６）一方、一致するとき（ステップＳ１１１でＹＥＳ）回覧用画像データを転送することなく回覧の終了と判断する（ステップＳ１１２）ことを特徴としている。ここで、上記回覧依頼機の番号は、当該回覧依頼機である発信端末の電話番号である。また、次の回覧先は、回覧すべきグループを示す、回覧先テーブルメモリのメモリボックス番号で指定され（図９のステップＳ７１）、上記メモリボックス番号は、ＳＵＢ信号で送出される（ステップＳ７４）。従って、例えばＳＵＢ信号に回覧依頼機である発信端末の電話番号を指定することにより、回覧の最終端末機が固定されないので、どの回覧端末機からでも回覧を開始でき、柔軟性のある回覧ルートを構築できる。また、例えばファクシミリ通信の通信手順信号であるＳＵＢ信号を用いて、他のメーカー装置との互換性を保持して回覧機能を実施できる。さらに、ＳＵＢ信号にメモリボックス番号を登録することにより、メモリボックス番号に応じて複数の回覧ルートを形成することができる。
【００３１】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００３２】
【発明の効果】
以上詳述したように本発明に係る通信端末装置によれば、回覧用画像データを受信して、所定の次の回覧先に転送する回覧機能を有する通信端末装置において、受信した回覧用画像データを記憶装置に格納し、上記受信した回覧用画像データとともに受信した回覧依頼機の番号が自機の番号と一致しないとき次の回覧先に回覧用画像データを転送する一方、一致するとき回覧用画像データを転送することなく回覧の終了と判断し、上記受信した回覧用画像データの画像に回覧終了メッセージを付けてプリントした後、上記記憶装置に格納した回覧用画像データを消去するように制御する制御手段を備える。従って、回覧の最終端末機が固定されないので、どの回覧端末機からでも回覧を開始でき、柔軟性のある回覧ルートを構築できる。
【００３３】
また、上記通信端末装置において、好ましくは、上記回覧依頼機の番号は、当該回覧依頼機である発信端末の電話番号であり、所定の第１の通信手順信号で送出される。従って、例えばファクシミリ通信の通信手順信号であるＳＩＤ信号又はＳＵＢ信号を用いて、他のメーカー装置との互換性を保持して回覧機能を実施できる。
【００３４】
さらに、上記次の回覧先は、好ましくは、回覧すべきグループを示す、回覧先テーブルメモリのメモリボックス番号で指定され、上記メモリボックス番号は所定の第２の通信手順信号で送出され、もしくは、上記第１の通信手順信号で送出される回覧依頼機の番号である。また、メモリボックス番号を登録することにより、メモリボックス番号に応じて複数の回覧ルートを形成することができる。
【図面の簡単な説明】
【図１】本発明に係る第１の実施形態である、回覧機能を有するファクシミリ装置２０の構成を示すブロック図である。
【図２】図１のＲＡＭ７内の回覧先電話番号テーブル７ａの一例のテーブルを示す図である。
【図３】図１のＲＡＭ７内の信号データメモリ７ｂの一例のテーブルを示す図である。
【図４】図１のファクシミリ装置２０の回覧依頼機の主制御部１によって実行される送信処理を示すフローチャートである。
【図５】図１のファクシミリ装置２０の回覧機又は回覧依頼機の主制御部１によって実行される受信処理の第１の部分を示すフローチャートである。
【図６】図１のファクシミリ装置２０の回覧機又は回覧依頼機の主制御部１によって実行される受信処理の第２の部分を示すフローチャートである。
【図７】本発明に係る第２の実施形態であるファクシミリ装置２０に備えられるＲＡＭ７内の回覧先電話番号テーブル７ｃの一例のテーブルを示す図である。
【図８】第２の実施形態のＲＡＭ７内の信号データメモリ７ｄの一例のテーブルを示す図である。
【図９】第２の実施形態であるファクシミリ装置２０の回覧依頼機の主制御部１によって実行される送信処理を示すフローチャートである。
【図１０】第２の実施形態であるファクシミリ装置２０の回覧機又は回覧依頼機の主制御部１によって実行される受信処理の第１の部分を示すフローチャートである。
【図１１】第２の実施形態であるファクシミリ装置２０の回覧機又は回覧依頼機の主制御部１によって実行される受信処理の第２の部分を示すフローチャートである。
【符号の説明】
１…主制御部、
２…画像読取部、
３…画像記録部、
５…操作部、
６…ＲＯＭ、
７…ＲＡＭ、
７ａ，７ｃ…回覧先電話番号テーブル、
７ｂ，７ｄ…信号データメモリ、
８…画像メモリ、
１０…ファックスモデム、
１１…ＮＣＵ、
１３…バス、
２０…ファクシミリ装置、
Ｌ…公衆電話回線。
【図１】
0003578051.tif 000002
【図２】
0003578051.tif 000003
【図３】
0003578051.tif 000004
【図４】
0003578051.tif 000005
【図５】
0003578051.tif 000006
【図６】
0003578051.tif 000007
【図７】
0003578051.tif 000008
【図８】
0003578051.tif 000009
【図９】
0003578051.tif 000010
【図１０】
0003578051.tif 000011
【図１１】
0003578051.tif 000012